(57)【要約】【課題】所望する熱変色面積に適した外形状の摩擦体を使用することができる摩擦具を提供する。【解決手段】摩擦具１は、熱変色性インキを用いて被筆記面上に形成した熱変色性の像または筆跡を摩擦し、その際に生じる摩擦熱で前記熱変色性の像または筆跡を熱変色可能である。摩擦具１は、第１の摩擦体２と、前記第１の摩擦体２の内部から外部に出没可能な第２の摩擦体３とからなる。第１の摩擦体２を使用する場合、第２の摩擦体３を第１の摩擦体２内に没入させる。第２の摩擦体３を使用する場合、第２の摩擦体３を第１の摩擦体２より外部に突出させる。第１の摩擦体２の表面を凸曲面状に形成し、且つ、第２の摩擦体３の表面を凸曲面状に形成し、第１の摩擦体２の表面の曲率半径Ｒ１を、第２の摩擦体３の表面の曲率半径Ｒ２よりも大きく設定する。【選択図】  図２
2009107236.tif 000002
【特許請求の範囲】
【請求項１】
熱変色性インキを用いて被筆記面上に形成した熱変色性の像または筆跡を摩擦し、その際に生じる摩擦熱で前記熱変色性の像または筆跡を熱変色可能な摩擦具であって、
第１の摩擦体と、前記第１の摩擦体の内部から外部に出没可能な第２の摩擦体とからなり、第１の摩擦体を使用する場合、第２の摩擦体を第１の摩擦体内に没入させ、第２の摩擦体を使用する場合、第２の摩擦体を第１の摩擦体より外部に突出させることを特徴とする摩擦具。
【請求項２】
被筆記面に一定荷重で押圧したときの第１の摩擦体の接触面積を、被筆記面に一定荷重で押圧したときの第２の摩擦体の接触面積よりも大きく設定した請求項１記載の摩擦具。
【請求項３】
第１の摩擦体の表面を凸曲面状に形成し、且つ、第２の摩擦体の表面を凸曲面状に形成し、第１の摩擦体の表面の曲率半径を、第２の摩擦体の表面の曲率半径よりも大きく設定した請求項２記載の摩擦具。
【発明の詳細な説明】
【技術分野】
【０００１】
本発明は、摩擦具に関する。詳細には、熱変色性インキを用いて被筆記面上（例えば紙面上）に形成した熱変色性の像または筆跡を摩擦し、その際に生じる摩擦熱で前記熱変色性の像または筆跡を熱変色可能な摩擦具に関する。
【背景技術】
【０００２】
従来、特許文献１には、熱変色性インキによる像または筆跡を摩擦熱で熱変色させるための摩擦体を、キャップの頂部に設ける構成や、軸胴の後端に設ける構成が記載されている。
【０００３】
【特許文献１】特開２００４−１４８７４４号公報
【発明の開示】
【発明が解決しようとする課題】
【０００４】
前記従来の摩擦具は、熱変色性の像または筆跡の小面積を熱変色させたい場合や、熱変色性の像または筆跡の大面積を熱変色させたい場合、摩擦具が１種類のみであるため、所望する熱変色面積に適した外形状を有する摩擦体を使用することができないおそれがある。例えば、熱変色性の像または筆跡の小面積を熱変色させたい場合、前記従来の摩擦体では、熱変色性の像または筆跡の熱変色させたくない部分を熱変色させてしまうおそれがあり、一方、熱変色性の像または筆跡の大面積を熱変色させたい場合、前記従来の摩擦体では多大な摩擦回数を必要とする。
【０００５】
本発明は、前記従来の問題点を解決するものであって、所望する熱変色面積に適した外形状の摩擦体を使用することができる摩擦具を提供しようとするものである。
【課題を解決するための手段】
【０００６】
本願の第１の発明は、熱変色性インキを用いて被筆記面上に形成した熱変色性の像または筆跡を摩擦し、その際に生じる摩擦熱で前記熱変色性の像または筆跡を熱変色可能な摩擦具であって、第１の摩擦体２と、前記第１の摩擦体２の内部から外部に出没可能な第２の摩擦体３とからなり、第１の摩擦体２を使用する場合、第２の摩擦体３を第１の摩擦体２内に没入させ、第２の摩擦体３を使用する場合、第２の摩擦体３を第１の摩擦体２より外部に突出させること（請求項１）を要件とする。
【０００７】
前記第１の発明の摩擦具１は、第１の摩擦体２、第２の摩擦体３の何れを用いても、熱変色性の像または筆跡を摩擦により熱変色させることができ、所望する熱変色面積に適した外形状の摩擦体を使用することができる。
【０００８】
本願の第２の発明は、前記第１の発明において、被筆記面に一定荷重で押圧したときの第１の摩擦体２の接触面積を、被筆記面に一定荷重で押圧したときの第２の摩擦体３の接触面積よりも大きく設定したこと（請求項２）を要件とする。
【０００９】
前記第２の発明の摩擦具１は、比較的小さな接触面積が得られる第２の摩擦体３を、比較的大きな接触面積が得られる第１の摩擦体２の内部から出没させることにより、比較的大きな接触面積と比較的小さな接触面積を容易に得ることができる。前記第２の発明の摩擦具１において、熱変色性の像または筆跡の比較的大面積を熱変色させたい場合に、第１の摩擦体２を使用することができ、熱変色性の像または筆跡の比較的小面積を熱変色させたい場合に、第２の摩擦体３を使用することができる。
【００１０】
本願の第３の発明は、前記第２の発明において、第１の摩擦体２の表面を凸曲面状に形成し、且つ、第２の摩擦体３の表面を凸曲面状に形成し、第１の摩擦体２の表面の曲率半径Ｒ１を、第２の摩擦体３の表面の曲率半径Ｒ２よりも大きく設定したこと（請求項３）を要件とする。
【００１１】
前記第３の発明の摩擦具１は、曲率半径Ｒ１を比較的大きく設定した第１の摩擦体２により、被筆記面に一定荷重で押圧したときに比較的大きな接触面積を得ることができるとともに、曲率半径Ｒ２を比較的小さく設定した第２の摩擦体３により、被筆記面に一定荷重で押圧したときに比較的小さな接触面積を得ることができる。
【００１２】
・第１の摩擦体、第２の摩擦体
尚、本発明で、前記第１の摩擦体２及び第２の摩擦体３は、軟質材料から構成されることが好ましい。前記第１の摩擦体２及び第２の摩擦体３を構成する軟質材料とは、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。
【００１３】
前記第１の摩擦体２及び第２の摩擦体３を構成する軟質材料は、高摩耗性の弾性材料（例えば、消しゴム等）からなるものよりも、摩擦時に消しカスが生じない低摩耗性の弾性材料からなることが好ましい。
【００１４】
本発明の摩擦具１の適用例としては、熱変色性インキを内蔵し且つ熱変色性インキを吐出可能なペン先を備えた筆記具の一部（例えば、筆記具本体の端部、またはキャップの端部）に摩擦具１を取り付けた構成、摩擦具１が直接把持可能な大きさの単体である構成、または把持可能なホルダーに摩擦具１を取り付けた構成等が挙げられる。
【００１５】
・熱変色性インキ
尚、本発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１６】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【００１７】
本発明では、図３に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図３において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００１８】
本発明では、前記熱変色性インキの、第１の摩擦体２及び第２の摩擦体３の摩擦熱による変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる像または筆跡を第１の摩擦体２及び第２の摩擦体３による摩擦熱で容易に変色することができる。
【発明の効果】
【００１９】
本発明の摩擦具は、所望する熱変色面積に適した外形状の摩擦体を使用することができる。
【発明を実施するための最良の形態】
【００２０】
図１及び図２に本発明摩擦具１の実施の形態を示す。
本実施の形態の摩擦具１は、第１の摩擦体２と、該第１の摩擦体２の内部より出没可能な第２の摩擦体３とからなる。即ち、第２の摩擦体３は、第１の摩擦体２の内部より外部に突出可能であり、且つ、第１の摩擦体２の外部より内部に没入可能である。
【００２１】
前記第１の摩擦体２の表面は、凸曲面状に形成される。前記第１の摩擦体２は、凸曲面状表面より外部に開口する出没孔２１を備える。前記第２の摩擦体３は、前記第１の摩擦体２の出没孔２１内に摺動可能に収容される。前記出没孔２１は、第１の摩擦体２の凸曲面状表面の頂部より外部に開口している。
【００２２】
前記第２の摩擦体３の表面は、凸曲面状に形成される。前記第１の摩擦体２の凸曲面状表面の曲率半径Ｒ１は、前記第２の摩擦体３の凸曲面状表面の曲率半径Ｒ２よりも大きく設定される。
【００２３】
前記第１の摩擦体２は、弾性を有する合成樹脂（例えば、ＳＢＳ樹脂、ＳＥＢＳ樹脂、シリコーン樹脂等）からなる。前記第２の摩擦体３は、弾性を有する合成樹脂（例えば、ＳＢＳ樹脂、ＳＥＢＳ樹脂、シリコーン樹脂等）からなる。前記第１の摩擦体２と前記第２の摩擦体３は、同一の材料から形成されてもよいし、異なる材料から形成されてもよい。
【００２４】
前記第２の摩擦体３を前記第１の摩擦体２の出没孔２１から出没させる手段としては、外部操作（例えば、ノック操作、回転操作等）により前記第２の摩擦体３を出没させる出没装置や、前記第２の摩擦体３を直接、突出方向または没入方向に押圧することが挙げられる。
【００２５】
本実施の形態の摩擦具１は、熱変色性インキを内蔵し且つ熱変色性インキを吐出可能なペン先を備えた筆記具の一部（例えば、筆記具本体の端部、またはキャップの端部）に取り付けられてもよいし、直接把持可能な大きさの単体であってもよいし、または把持可能なホルダーに取り付けられてもよい。
【００２６】
本実施の形態の摩擦具１は、第１の摩擦体２を使用する場合、第２の摩擦体３を第１の摩擦体２内に没入させ、第２の摩擦体３を使用する場合、第２の摩擦体３を第１の摩擦体２より外部に突出させる。それにより、第１の摩擦体２、第２の摩擦体３の何れを用いても、熱変色性インキの像または筆跡を摩擦により熱変色させることができ、所望する熱変色面積に適した外形状の摩擦体を選択して使用することができる。
【００２７】
本実施の形態の摩擦具１は、被筆記面に一定荷重で押圧したときの第１の摩擦体２の接触面積が、被筆記面に一定荷重で押圧したときの第２の摩擦体３の接触面積よりも大きく設定される。本実施の形態の摩擦具１によれば、熱変色性インキの像または筆跡の比較的大面積を熱変色させたい場合、第１の摩擦体２を使用することができ、熱変色性インキの像または筆跡の比較的小面積を熱変色させたい場合に、第２の摩擦体３を使用することができる。
【００２８】
本実施の形態の摩擦具１は、曲率半径Ｒ１を比較的大きく設定した第１の摩擦体２により、被筆記面に一定荷重で押圧したときに比較的大きな接触面積を得ることができるとともに、曲率半径Ｒ２を比較的小さく設定した第２の摩擦体３により、被筆記面に一定荷重で押圧したときに比較的小さな接触面積を得ることができる。
【００２９】
尚、本発明で、第１の摩擦体２の表面、及び第２の摩擦体３の表面は、凸曲面形状の他にも、平面状にしてもよいし、円錐、角錐、斜めカット形状等により尖頭状にしてもよい。
尚、本発明で、第１の摩擦体２の横断面形状及び第２の摩擦体３の横断面形状は、円、楕円、方形、多角形等、いずれであってもよい。
【図面の簡単な説明】
【００３０】
【図１】本発明の摩擦具の実施の形態において、第２の摩擦体を第１の摩擦体内に没入させた状態を示す一部切り欠き縦断面図である。
【図２】図１の摩擦具において、第２の摩擦体を第１の摩擦体内より外部に突出させた状態を示す一部切り欠き縦断面図である。
【図３】熱変色性インキの変色挙動を示す説明図である。
【符号の説明】
【００３１】
１  摩擦具
２  第１の摩擦体
２１  出没孔
３  第２の摩擦体
Ｒ１  第１の摩擦体表面の曲率半径
Ｒ２  第２の摩擦部表面の曲率半径
【図１】
2009107236.tif 000003
【図２】
2009107236.tif 000004
【図３】
2009107236.tif 000005